(57)【要約】本発明は、第１フェムトセルの第１アクセス・デバイス内でフェムトセルの間の干渉を減らす方法であって、受信するステップであって、前記第１アクセス・デバイスは、第２フェムトセルの第２アクセス・デバイスによって周期的に送信される第１無線信号を受信し、前記第１無線信号は、前記第２アクセス・デバイスの特性情報を含む、受信するステップと、判断するステップであって、前記第１アクセス・デバイスは、前記第１無線信号のレベルが第１の事前に決定されたしきい値を超え、前記第１フェムトセル内の少なくとも１つのユーザ端末に干渉するかどうかを判断する、判断するステップと、第１の実行するステップであって、前記第１無線信号のレベルが前記事前に決定されたしきい値を超え、前記第１フェムトセル内の前記少なくとも１つのユーザ端末に干渉する場合に、前記第１フェムトセルと前記第２フェムトセルとの間の干渉を減らすために、前記第１アクセス・デバイスは、前記第２アクセス・デバイスと相互作用することによって、前記第１アクセス・デバイスと前記第２アクセス・デバイスとの間で共同作業モードを作成する、第１の実行するステップとを含む方法を提供する。
2013524565.tif 000002
【特許請求の範囲】
【請求項１】
第１フェムトセルの第１アクセス・デバイス内でフェムトセルの間の干渉を減らす方法であって、
受信するステップであって、前記第１アクセス・デバイスは、第２フェムトセルの第２アクセス・デバイスによって周期的に送信される第１無線信号を受信し、前記第１無線信号は、前記第２アクセス・デバイスの特性情報を含む、受信するステップと、
判断するステップであって、前記第１アクセス・デバイスは、前記第１無線信号のレベルが第１の事前に決定されたしきい値を超え、前記第１フェムトセル内の少なくとも１つのユーザ端末に干渉するかどうかを判断する、判断するステップと、
第１の実行するステップであって、前記第１無線信号のレベルが前記事前に決定されたしきい値を超え、前記第１フェムトセル内の前記少なくとも１つのユーザ端末に干渉する場合に、前記第１フェムトセルと前記第２フェムトセルとの間の干渉を減らすために、前記第１アクセス・デバイスは、前記第２アクセス・デバイスと相互作用することによって、前記第１アクセス・デバイスと前記第２アクセス・デバイスとの間で共同作業モードを作成する、第１の実行するステップと
を含む方法。
【請求項２】
前記受信するステップの後に、前記方法は、
前記第１無線信号のレベルに従って前記第１アクセス・デバイスのエア・インターフェースの少なくとも１つのパラメータを判定するステップ
をさらに含む、請求項１に記載の方法。
【請求項３】
前記第１の受信するステップの後に、前記方法は、
接続を確立するステップであって、前記第１アクセス・デバイスは、前記第１無線信号内の前記第２アクセス・デバイスの特性情報に従ってバックホールを介して前記第１アクセス・デバイスと前記第２アクセス・デバイスとの間の接続を確立する、接続を確立するステップ
をさらに含み、前記第１の実行するステップは、
前記第１無線信号のレベルが前記第１の事前に決定されたしきい値を超え、前記第１フェムトセル内の前記少なくとも１つのユーザ端末に干渉する場合に、前記第１アクセス・デバイスは、前記第１アクセス・デバイスと前記第２アクセス・デバイスとの間で前記共同作業モードを作成するために、バックホールを介して確立された前記接続を介して前記第２アクセス・デバイスと相互作用する
をさらに含む、請求項１に記載の方法。
【請求項４】
前記共同作業モードは、
前記第２アクセス・デバイスは、前記少なくとも１つのユーザ端末への干渉を減らすためにビームフォーミング方式を使用し、
前記第１アクセス・デバイス、前記第２アクセス・デバイス、前記少なくとも１つのユーザ端末、および前記少なくとも１つのユーザ端末と同一の送信リソースを占有する前記第２フェムトセルの他のユーザ端末は、複数ＢＳ  ＭＩＭＯを使用してダウンリンク送信を実行し、
前記第１アクセス・デバイスは、前記第２アクセス・デバイスからの干渉を回避するために前記少なくとも１つのユーザ端末を再スケジューリングし、
前記第２アクセス・デバイスは、前記少なくとも１つのユーザ端末に干渉するのを回避するために前記他のユーザ端末を再スケジューリングし、
前記第２アクセス・デバイスは、前記少なくとも１つのユーザ端末への干渉を減らすために前記他のユーザ端末に信号を送信する時に送信電力を減らす
のうちの少なくとも１つを含む、請求項１に記載の方法。
【請求項５】
前記第１アクセス・デバイスは、そのエア・インターフェースでアクセスを制御するのにｃｌｏｓｅｄ  ｓｕｂｓｃｒｉｂｅｒ  ｇｒｏｕｐを使用し、前記第１の実行するステップは、
前記第２フェムトセル内の各ユーザ端末の特性情報を入手するステップと、
前記第２フェムトセル内の各ユーザ端末の前記特性情報を前記第１アクセス・デバイスによって制御されるｃｌｏｓｅｄ  ｓｕｂｓｃｒｉｂｅｒ  ｇｒｏｕｐに追加するステップと
をさらに含む、請求項１に記載の方法。
【請求項６】
前記第２アクセス・デバイスは、そのエア・インターフェースでアクセスを制御するのにｃｌｏｓｅｄ  ｓｕｂｓｃｒｉｂｅｒ  ｇｒｏｕｐを使用し、前記第１の実行するステップは、
前記第２アクセス・デバイスがそれに従って前記第２アクセス・デバイスによって使用されるｃｌｏｓｅｄ  ｓｕｂｓｃｒｉｂｅ  ｇｒｏｕｐを更新するようにするために、前記第１フェムトセル内の各ユーザ端末の特性情報を前記第２アクセス・デバイスに送信するステップ
をさらに含む、請求項１に記載の方法。
【請求項７】
前記方法は、
送信するステップであって、前記第１アクセス・デバイスは、前記第１アクセス・デバイスの特性情報を含む第２無線信号を周期的に送信する、送信するステップ
をさらに含む、請求項１に記載の方法。
【請求項８】
第２の実行するステップであって、前記第１アクセス・デバイスは、前記第１フェムトセルと前記第２フェムトセルとの間の干渉を減らすために、前記第２アクセス・デバイスによって開始された相互作用に基づいて、前記第１アクセス・デバイスと前記第２アクセス・デバイスとの間の共同作業モードを作成する、第２の実行するステップ
をさらに含む、請求項７に記載の方法。
【請求項９】
フェムトセルの間の干渉を減らす、第１フェムトセルの第１アクセス・デバイス内の第１装置であって、
第２フェムトセルの第２アクセス・デバイスによって周期的に送信される第１無線信号を受信する受信器であって、前記第１無線信号は、前記第２アクセス・デバイスの特性情報を含む、受信器と、
前記第１無線信号のレベルが第１の事前に決定されたしきい値を超え、前記第１フェムトセルの少なくとも１つのユーザ端末に干渉するかどうかを判断する第１ユニットと、
前記第１無線信号のレベルが前記事前に決定されたしきい値を超え、前記第１フェムトセルの前記少なくとも１つのユーザ端末に干渉する場合に、前記第１フェムトセルと前記第２フェムトセルとの間の干渉を減らすために、前記第２アクセス・デバイスと相互作用することによって、前記第１アクセス・デバイスと前記第２アクセス・デバイスとの間で共同作業モードを作成する第２ユニットと
を含む第１装置。
【請求項１０】
前記第１無線信号内の前記第２アクセス・デバイスの特性情報に従ってバックホールを介して前記第１アクセス・デバイスと前記第２アクセス・デバイスとの間の接続を確立する第３ユニット
をさらに含み、前記第２ユニットは、
前記第１無線信号のレベルが前記第１の事前に決定されたしきい値を超え、前記第１フェムトセル内の前記少なくとも１つのユーザ端末に干渉する場合に、前記第１アクセス・デバイスが、前記第１アクセス・デバイスと前記第２アクセス・デバイスとの間で前記共同作業モードを作成するために、バックホールを介して確立された前記接続を介して前記第２アクセス・デバイスと相互作用する
ためにさらに使用される
請求項９に記載の第１装置。
【請求項１１】
前記共同作業モードは、
前記第２アクセス・デバイスは、前記少なくとも１つのユーザ端末への干渉を減らすためにビームフォーミング方式を使用し、
前記第１アクセス・デバイス、前記第２アクセス・デバイス、前記少なくとも１つのユーザ端末、および前記少なくとも１つのユーザ端末と同一の送信リソースを占有する前記第２フェムトセルの他のユーザ端末は、複数ＢＳ  ＭＩＭＯを使用してダウンリンク送信を実行し、
前記第１アクセス・デバイスは、前記第２アクセス・デバイスからの干渉を回避するために前記少なくとも１つのユーザ端末を再スケジューリングし、
前記第２アクセス・デバイスは、前記少なくとも１つのユーザ端末に干渉するのを回避するために前記他のユーザ端末を再スケジューリングし、
前記第２アクセス・デバイスは、前記少なくとも１つのユーザ端末への干渉を減らすために前記他のユーザ端末に信号を送信する時に送信電力を減らす
のうちの少なくとも１つを含む、請求項９に記載の第１装置。
【請求項１２】
前記第１アクセス・デバイスは、そのエア・インターフェースでアクセスを制御するのにｃｌｏｓｅｄ  ｓｕｂｓｃｒｉｂｅ  ｇｒｏｕｐを使用し、前記第２ユニットは、
前記第２フェムトセル内の各ユーザ端末の特性情報を入手する第１要素と、
前記第２フェムトセル内の各ユーザ端末の前記特性情報を前記第１アクセス・デバイスによって制御されるｃｌｏｓｅｄ  ｓｕｂｓｃｒｉｂｅ  ｇｒｏｕｐに追加する第２要素と
を含む、請求項９に記載の第１装置。
【請求項１３】
前記第２アクセス・デバイスは、そのエア・インターフェースでアクセスを制御するのにｃｌｏｓｅｄ  ｓｕｂｓｃｒｉｂｅ  ｇｒｏｕｐを使用し、前記第２ユニットは、
前記第２アクセス・デバイスがそれに従って前記第２アクセス・デバイスによって使用されるｃｌｏｓｅｄ  ｓｕｂｓｃｒｉｂｅ  ｇｒｏｕｐを更新するようにするために、前記第１フェムトセルの各ユーザ端末の特性情報を前記第２アクセス・デバイスに送信する第１送信器
をさらに含む、請求項９に記載の第１装置。
【請求項１４】
前記第１アクセス・デバイスの特性情報を含む第２無線信号を周期的に送信する第２送信器
をさらに含む、請求項９に記載の第１装置。
【請求項１５】
前記第１フェムトセルと前記第２フェムトセルとの間の前記干渉を減らすために、前記第２アクセス・デバイスによって開始された相互作用に基づいて、前記第１アクセス・デバイスと前記第２アクセス・デバイスとの間の共同作業モードを作成する第４ユニット
をさらに含む、請求項１４に記載の第１装置。
【発明の詳細な説明】
【技術分野】
【０００１】
本発明は、セルの間の干渉を減らす方式に関し、特にフェムトセルのアクセス・デバイス内でフェムトセルの間の干渉を減らす方法およびデバイスに関する。
【背景技術】
【０００２】
現今、フェムトセルは、システム容量を増やし、屋内カバレージを拡大することができるので、ネットワーク・オペレータおよびそのベンダによってますます注目されてきた。フェムトセル技法では、エンド・ユーザは、家庭またはオフィスでアクセス・デバイスとしてアクセス・ポイント（ＡＰ）を使用する。これらのアクセス・デバイスは、たとえばディジタル・ユーザ回線（ＤＳＬ）を介してコア・ネットワークにアクセスされる。トラフィックのほとんどは、バックホールを介して配送されるので、アクセス・デバイスとユーザ端末との間のエア・インターフェースのスペクトル・リソースは、節約され、実際のモバイル・サービスのために使用され得る。その一方で、フェムトセル内のアクセス・デバイスは、しばしばユーザ端末に近く、無線信号の有効カバレージを、非常に限られた電力で実現することができる。
【０００３】
フェムトセル技法の上記のさまざまな利益に起因して、関連する標準規格の対応する拡張が、既に進行中である。たとえば、ＩＥＥＥ  ８０２．１６ｍが、ＷｉＭＡＸフェムトＡＰ（ＷＦＡＰ）を定義し、３ＧＰＰも、ｈｏｍｅ  ｅＮｏｄｅＢ（ＨｅＮＢ）を定義する。ＨｅＮＢは、ＬＴＥ標準規格またはＬＴＥ−Ａ標準規格に基づくユーザ端末と通信し、その結果、ユーザ端末がマルチモード機能を有することは、必要ではなく、コストが有効に制御される。
【０００４】
しかし、フェムトセル技術で解決すべき問題がまだいくつかあり、たとえば、
１）ＡＰなどのアクセス・デバイスがエンド・ユーザによって個別に設置されるので、セル・プラニングが不可能である。したがって、フェムトセルのこの性格づけは、フェムトセル・プラニングによって干渉を減らすことをむずかしくする。
２）隣接するアクセス・デバイスの間の相互干渉は、回避がむずかしい。というのは、フェムトセル・アクセス・デバイスのそもそもの導入が、主に屋内信号カバレージの問題を解決するためであるからである。
【０００５】
既存の技術は、フェムトセルの間の干渉を回避するいくつかの解決策を提供する。既存の解決策によれば、ユーザがフェムトセル・アクセス・デバイスを購入した後に、そのアクセス・デバイスによって使用されるＩＰアドレスまたはＭＡＣアドレスなどのネットワーク・アドレスが、ネットワーク内で登録される。その後、これらのネットワーク・アドレスは、フェムトセル・プロキシ・サーバに転送され、無線送信電力などを含むさまざまなパラメータが、すべてのエンド・ユーザによって提供されたアドレス情報に従ってプロキシ・サーバによって構成される。この解決策は、明白な欠点を有する。第１に、アクセス・デバイスによって使用されるネットワーク・アドレスは、たとえばエンド・ユーザの移動によって引き起こされる再配置設置に起因して、変更される可能性がある。この場合に、エンド・ユーザは、ネットワーク側のプロキシ・サーバでアクセス・デバイスの新しいネットワーク・アドレスを再登録しなければならず、より低い柔軟性およびより悪いユーザ経験がもたらされる。第２に、フェムトセル・プロキシ・サーバは、アクセス・デバイスの特定のネットワーク条件をほとんど知らずにパラメータを構成するので、最終的に構成されるパラメータは、しばしば非常に保守的である。上で述べたアクセス・デバイスを例にとると、プロキシ・サーバは、他のアクセス・デバイスによってサービスされるフェムトセルに干渉することを避けるために、このアクセス・デバイスの周囲の他のアクセス・デバイスが動作していない場合であっても、より少ない無線送信電力をアクセス・デバイスに割り当てる。これは、リソース最適化にとって明らかに不利である。さらに、アクセス・デバイスの無線送信電力が制御される場合であっても、フェムトセルの間の干渉は、必ずしも有効には解決されない。
【０００６】
もう１つの既存の解決策によれば、フェムトセルの間の干渉を減らすために、ｄｙｎａｍｉｃ  ｐｏｗｅｒ  ｃｏｎｔｒｏｌ（ＤＰＣ）機構が、アクセス・デバイスとユーザ端末との間のエア・インターフェースでアップリンクとダウンリンクとの両方で定義され、アクセス・デバイスは、それ自体の送信電力をしきい値未満に制限し、その実際の送信電力がこのしきい値を超えた後には、このアクセス・デバイスは、その周囲の他のフェムトセルに干渉しつつあると考え、その送信電力をこのしきい値未満に調整する。特にフェムトセル・ネットワークの密な展開の下で、そのような電力制御の形は、フェムトセルの間の干渉を減らすのに役立つが、下げられたサービス品質（ＱｏＳ）およびスループットが犠牲になる。
【発明の概要】
【発明が解決しようとする課題】
【０００７】
本発明の開示は、次の技術的問題の認識に基づく。
【０００８】
まず、従来技術のすべての種類の解決策で、フェムトセルの間の干渉を減らす方式は、アクセス・デバイスによって実行される、そのアクセス・デバイスが位置するネットワーク環境の感知に依存せず、これは、すべての点でアクセス・デバイスの性能およびパラメータの目的のない制御をもたらす。そのような目的のなさに起因して、保守的な制御の形が、幅広く使用され、システム性能が大幅に劣化するようになっている。したがって、その返答は、存在しない可能性がある干渉の軽減である。言い替えると、干渉軽減に関する議論は、少なくとも１つの干渉を受ける物体が存在するという仮定の下でなければならない。したがって、好ましくは、干渉源は、いくつかのアクションを意図的に、干渉を受ける部分からの指示に効果的に従って行う。これを、次で詳細に説明する。
【課題を解決するための手段】
【０００９】
本発明の実施形態によれば、第１フェムトセルの第１アクセス・デバイス内でフェムトセルの間の干渉を減らす方法であって、受信するステップであって、前記第１アクセス・デバイスは、第２フェムトセルの第２アクセス・デバイスによって周期的に送信される第１無線信号を受信し、前記第１無線信号は、前記第２アクセス・デバイスの特性情報を含む、受信するステップと、判断するステップであって、前記第１アクセス・デバイスは、前記第１無線信号のレベルが第１の事前に決定されたしきい値を超え、前記第１フェムトセル内の少なくとも１つのユーザ端末に干渉するかどうかを判断する、判断するステップと、第１の実行するステップであって、前記第１無線信号のレベルが前記事前に決定されたしきい値を超え、前記第１フェムトセル内の前記少なくとも１つのユーザ端末に干渉する場合に、前記第１フェムトセルと前記第２フェムトセルとの間の干渉を減らすために、前記第１アクセス・デバイスは、前記第２アクセス・デバイスと相互作用することによって、前記第１アクセス・デバイスと前記第２アクセス・デバイスとの間で共同作業モードを作成する、第１の実行するステップとを含む方法が提供される。
【００１０】
本発明の別の実施形態によれば、フェムトセルの間の干渉を減らす、第１フェムトセルの第１アクセス・デバイス内の第１装置であって、第２フェムトセルの第２アクセス・デバイスによって周期的に送信される第１無線信号を受信する受信器であって、前記第１無線信号は、前記第２アクセス・デバイスの特性情報を含む、受信器と、前記第１無線信号のレベルが第１の事前に決定されたしきい値を超え、前記第１フェムトセルの少なくとも１つのユーザ端末に干渉するかどうかを判断する第１ユニットと、前記第１無線信号のレベルが前記事前に決定されたしきい値を超え、前記第１フェムトセルの前記少なくとも１つのユーザ端末に干渉する場合に、前記第１フェムトセルと前記第２フェムトセルとの間の干渉を減らすために、前記第２アクセス・デバイスと相互作用することによって、前記第１アクセス・デバイスと前記第２アクセス・デバイスとの間で共同作業モードを作成する第２ユニットとを含む第１装置が提供される。
【００１１】
上で述べた方法および第１装置を使用することによって、フェムトセル・アクセス・デバイスは、システム性能を最適化するためにその無線パラメータを動的に調整するために、周囲の無線環境の条件および変化を経時的に感知することができる。さらに、深刻な干渉が現れる時に、アクセス・デバイスは、共同作業モードを作成することによって干渉を減らすことができ、干渉は、有利な共同モードの助けを得て有用な信号に変換され得る。
【００１２】
以下の図面を参照して非限定的な実施形態の詳細な説明を読むことによって、本発明の他の目的、特徴、および利益が明白になる。
【図面の簡単な説明】
【００１３】
【図１】本発明の通常の応用シナリオを示す図である。
【図２】本発明の実施形態によるアクセス・デバイス内でフェムトセルの間の干渉を減らす方法を示す流れ図である。
【図３】本発明の実施形態によるフェムトセルの間の干渉を減らすシステム方法を示す流れ図である。
【図４】本発明の実施形態によるフェムトセルの間の干渉を減らす装置を示す構造ブロック図である。
【発明を実施するための形態】
【００１４】
同一のまたは類似する符号は、同一のまたは類似する手順特徴または装置／モジュールを指す。
【００１５】
ここで、図面に示された本発明の方法および装置の少なくとも１つの実施形態に言及する。これらの実施形態が、本発明の各態様を説明することによって例示されるが、本発明に対する限定として理解されてはならないことを理解されたい。たとえば、ある実施形態の一部として示されまたは図示される特徴を、別の実施形態を得るために別の実施形態内で使用することができる。本発明は、これらの実施形態ならびに本発明の範囲および趣旨に含まれるすべての種類の変形形態を包含する。
【００１６】
図１に、住居用建物の一部を示す本発明によって提供される方法および装置の通常のシナリオを示し、ここで、ユニット２の上階に位置するユニット１は、フェムトセル・アクセス・デバイス３を設置され、ユニット２は、フェムトセル・アクセス・デバイス４を設置される。アクセス・デバイス３および４は、ユーザの実際の要件に従って家庭のどこかにユーザによって設置され、その位置は、必要に応じて調整され得る。この図では、アクセス・デバイス３および４は、図面を明瞭にするためにのみ、ユニット１および２内の類似する位置にあるものとして図示されている。
【００１７】
フェムトセルの概念を、まず、フェムトセルの間での干渉の問題を詳細に述べる前に説明する。当分野での既存の理論によれば、フェムトセルは、あるアクセス・デバイスによってカバーされ管理される区域であり、伝統的な無線通信ネットワーク内の基地局によってカバーされ管理されるセルに類似する。フェムトセルは、カバレージの範囲に関して伝統的なセルよりはるかに小さい。特定の実施形態をより鮮明に説明するためにのみ、アクセス・デバイス３などのアクセス・デバイスの設置が、主に、ユニット１内のユーザ要件を満足するためのものであり、そのそもそもの意図が、ユニット１の外部のユーザ端末にサービスすることを含まないと考える。したがって、同一の符号が、図１に示された例のフェムトセルおよびユニットに使用される。その結果、アクセス・デバイス３によって管理されるフェムトセルが、フェムトセル１とも呼ばれ、同様に、アクセス・デバイス４によって管理されるフェムトセルが、フェムトセル２と呼ばれる。
【００１８】
図１には、フェムトセル１内に、コンピュータ５とも呼ばれる、ノートブック機などのユーザ・デバイス５があり、ユーザ・デバイス５とアクセス・デバイス３との間の無線リンクは、その符号の組合せすなわち３５として参照される。ユニット２内に、モバイル６とも呼ばれる、携帯電話機などのユーザ・デバイス６があり、ユーザ・デバイス６とアクセス・デバイス４との間の無線リンクは、その符号の組合せすなわち４６として参照される。伝統的なフェムトセル技法によれば、リンク３５および４６は、所望のリンクまたは貢献的リンク（ｃｏｎｔｒｉｂｕｔｉｖｅ  ｌｉｎｋ）であるが、リンク３６および４５は、望まれないリンクもしくは貢献的でないリンクであり、あるいは、干渉を引き起こしさえする。具体的には、アクセス・デバイス３がコンピュータ５に信号を送信する時に、アクセス・デバイス４もこの瞬間にモバイル６に信号を送信する場合に、破線によって表されるリンク３６内の信号は、フェムトセルの間の周波数再利用に起因する有用なリンク４６内の信号に対する干渉を構成し、それに対応して、リンク４５内の信号は、有用なリンク３５内の信号に対する干渉を構成する。確かに、干渉には強いものと弱いものがあり、これを次で議論する。
【００１９】
本発明の実施形態によるアクセス・デバイス内でフェムトセルの間の干渉を減らす方法の流れ図を示し、図１に示されたアクセス・デバイス３を説明する図２を参照すると、当業者は、同一の特徴および手順がアクセス・デバイス４にも適用可能であることを知る。アクセス・デバイスの間の対称性に起因して、アクセス・デバイスが議論される時に、このアクセス・デバイスは、呼び出される第１アクセス・デバイスであり、それによって管理されるフェムトセルは、第１フェムトセルであり、それに隣接するアクセス・デバイスのそれぞれは、第２フェムトセル内の第２アクセス・デバイスとみなすことができ、逆も同様である。さらに、第１アクセス・デバイスによって送信され、第１アクセス・デバイスを感知するのにおよび信号のレベルを入手するのに使用できる無線信号は、第２無線信号と呼ばれ、第２アクセス・デバイスを感知するためおよび信号のレベルを入手するために第１アクセス・デバイスによって受信される無線信号は、第１無線信号と呼ばれる。これらの概念の関係および相違は、次でより明瞭になる。
【００２０】
上で述べたように、各アクセス・デバイスは、隣接するアクセス・デバイスがその存在を知り、干渉レベルを判定できるようにするために、送信器によって感知されるいくつかの信号を送信する必要がある。本発明の異なる実施形態によれば、そのような種類の信号を、ユーザ端末に送信されるダウンリンク信号ならびに他のアクセス・デバイスに専用に提供されるシグナリング信号とすることができる。具体的には、ステップ２６で、アクセス・デバイス３は、アクセス・デバイス３の特性情報、たとえばＭＡＣアドレス、ハードウェア番号、ＩＰアドレス、または他の識別する情報を含む第２無線信号を周期的に送信する。
【００２１】
ステップＳ２６の実行は、主に、たとえば第１アクセス・デバイスすなわちアクセス・デバイス３の感知およびアクセス・デバイス４などの他のアクセス・デバイスによる信号レベルの検出を実現するためのものである。同様に、他のアクセス・デバイスも、そのような無線信号を送信し、アクセス・デバイス４などの第２アクセス・デバイスによって送信された第１無線信号は、アクセス・デバイス４の特性情報を含む。
【００２２】
アクセス・デバイスによってユーザ端末に送信されるダウンリンク信号は、通常はアクセス・デバイスの特性情報を担持しないので、アクセス・デバイス４は、デバイスの間での感知を実現するのにこの種のダウンリンク信号を使用するために、規則的なインターバル、たとえば１０フレームのダウンリンク信号の事前に決定された位置にそれ自体の特性情報を追加する。事前構成によって、アクセス・デバイス３は、アクセス・デバイス４からのダウンリンク信号を「立ち聞きする」ことができ、少なくとも、信号のうちでアクセス・デバイス４の特性情報を担持する部分を入手することができる。たとえば、「立ち聞き」は、１０フレームおきに実行される。第１無線信号が、通常のダウンリンク信号ではなくアクセス・デバイスの間での相互感知に専用で使用される信号である時には、問題がより単純になる可能性がある。各アクセス・デバイスの事前構成に基づいて、アクセス・デバイス４などの第２アクセス・デバイスは、専用チャネル内で第１無線信号を送信し、第１無線信号にそれ自体の特性情報を追加する。同様に、事前構成に基づいて、アクセス・デバイス３などの第１アクセス・デバイスは、誰がこの第１無線信号を送信したのかを判定するために、この信号を受信し、この信号からアクセス・デバイス４の特性情報を入手することができる。
【００２３】
本発明の実施形態によれば、例としてアクセス・デバイス３をとると、アクセス・デバイス３は、その固有のアンテナ（１つまたは複数）を使用して、第２無線信号を送信し、第１無線信号を受信することができる。代替案では、アクセス・デバイス３は、上で述べた信号を受信し、送信するための専用のアンテナ（１つまたは複数）を備える。
【００２４】
上で述べた第１無線信号および第２無線信号は、アクセス・デバイスのエア・インターフェースを介して受信され、送信される。しかし、このエア・インターフェースが、主にアクセス・デバイスとユーザ端末との間の通信に使用されることを考慮すると、アクセス・デバイスの間の他の通信プロセスは、すべてが、貴重な無線リソースの占有を減らすために本発明の実施形態に従ってバックホールを介して実現される。具体的には、ステップＳ２２で、ＩＰプロトコルに基づく接続が、アクセス・デバイス４の特性情報の助けを得てアクセス・デバイス３と４との間で確立される。第１無線信号に含まれるアクセス・デバイス４の特性情報が、ＩＰアドレスではなくＭＡＣアドレスまたはハードウェア番号である場合には、アクセス・デバイス３は、各アクセス・デバイスのＭＡＣアドレスまたはハードウェア番号とＩＰアドレスとの間のマップが事前に格納される補助アドレス・デバイス、たとえばルートにアクセスし、アクセス・デバイス４のＩＰアドレスを見つけた後に、上で述べた接続を確立する。
【００２５】
ステップＳ２２は、特に、アクセス・デバイス３または４が、オンに切り替えられたばかりであり、初期化されつつある時に発生する。というのは、アクセス・デバイス３または４が、他の部分の存在を感知せず、したがって、バックホールを介する接続が、アクセス・デバイス３または４が他の部分の存在を感知した後に確立されるからである。第１無線信号および第２無線信号が周期的に送信されるので、バックホールを介する接続が確立済みである場合に、アクセス・デバイス３は、アクセス・デバイス４とのバックホール接続を再確立する必要があるのではなく、アクセス・デバイス３が第１無線信号を受信した後にこの接続をアクティブに保つことだけが必要である。
【００２６】
アクセス・デバイス３と４との間の確立された接続は、常にアクティブではない。たとえば、ユニット２内のユーザが、仕事に出かける時にアクセス・デバイス４をオフに切り替え、したがって、アクセス・デバイス３は、確かに、アクセス・デバイス４がもう一度オンに切り替えられるまで、アクセス・デバイス４によって送信された第１無線信号を全く受信しなくなる。アクセス・デバイス３が、あるタイム・インターバルの間にアクセス・デバイス４から第１無線信号を受信しない時に、アクセス・デバイス３は、以前に確立された接続を除去し、アクセス・デバイス４が存在しないものと考える。
【００２７】
さらに、ステップＳ２２を、第１無線信号のレベルに関係付けることができる。具体的には、第２の事前に決定されたしきい値が、アクセス・デバイス３内で事前にセットされ、第１無線信号のレベルに対応する。その結果、第１無線信号を受信した後に、アクセス・デバイス３は、たとえばｒｅｃｅｉｖｅｄ  ｓｉｇｎａｌ  ｓｔｒｅｎｇｔｈ  ｉｎｄｉｃａｔｏｒ（ＲＳＳＩ）によって表される、受信された信号のレベルを判定し、これを第２の事前に決定されたしきい値と比較する。第１無線信号のレベルが、相対的に強く、第２の事前に決定されたしきい値を超える場合には、これは、アクセス・デバイス４がフェムトセル１に対する強い干渉を引き起こす可能性が非常に高いことを意味する。逆に、第１無線信号のレベルが普通であり、第２の事前に決定されたしきい値を超えない場合には、これは、おそらくはアクセス・デバイス４がフェムトセル１に対する干渉を引き起こす可能性が低いことを意味する。その結果、特にバックホールを介する接続の個数が制限される時に、アクセス・デバイス３は、好ましくは、そのレベルが第２の事前に決定されたしきい値を超える第１無線信号を送信するアクセス・デバイスのみとのバックホールを介する接続を確立する。確かに、各アクセス・デバイスのエア・インターフェースでの送信電力が経時的に変化する可能性があるので、潜在的な強い干渉源ではないと以前に判定されたアクセス・デバイスが、後に潜在的な強い干渉源として判定される可能性がある。たとえば、送信電力は、サービス品質（ＱｏＳ）を保証するために増やされ、逆もまた同じである。
【００２８】
ステップＳ２２は準備である、すなわち、後続の作業プロセスで、強い干渉源が検出された後に、エア・インターフェースのリソースを全く占有せずに確立された接続を介して干渉源と即座に相互作用するように、負担しきれない干渉が実際にまだ発生していない前に、シグナリング・オーバーヘッドに敏感ではないバックホールを介して干渉源とのアクティブ接続を確立するので、ステップＳ２２を省略できることを理解されたい。単純な代替の形として、第１無線信号は、周期的に送信され、したがって、アクセス・デバイス３が、そのパワーオン時にアクセス・デバイス４の存在を検出する時に、アクセス・デバイス３は、この２つの間の接続の確立を急いでいるのではなく、アクセス・デバイス４が実際にその後にフェムトセル１内のあるユーザ端末に干渉する時に、干渉信号から干渉源すなわちアクセス・デバイス４の特性情報を抽出した後に限って、相互作用するためにバックホールを介する接続を確立する。これおよび他の代替の形を、以下でより詳細に説明する。
【００２９】
次に、ステップＳ２３を議論する。具体的には、エア・インターフェースでのアクセス・デバイス３の少なくとも１つのパラメータを、第１無線信号のレベルへの参照を用いて判定することもできる。第１無線信号が、アクセス・デバイスの間での感知および信号検出専用である時には、この信号の送信電力を、たとえばＰｘで固定することができ、その結果、アクセス・デバイス３は、そのような送信電力Ｐｘを用いて送信された信号がアクセス・デバイス３に到着する時に、その信号の実際のレベルがどれほどであるのかを知る。アクセス・デバイス３と４との間のチャネルが対称または実質的に対称であるという仮定に基づいて、アクセス・デバイス３は、アクセス・デバイス３がその送信電力としてＰｘを採用する場合に、アクセス・デバイス３によって送信された信号によってフェムトセル２に適用される干渉レベルがどれほどであるのかを、近似的に推定することができる。比較的保守的な形として、第１無線信号の受信レベルが強い場合には、フェムトセル１および２内に同一の時間周波数リソースを占有する複数のユーザ端末があり、アクセス・デバイス３がＰｘ未満の初期送信電力を決定する時に、明白な干渉が引き起こされる。その結果、コンピュータ５などのユーザ端末が、その後にアクセスを要求する時に、アクセス・デバイス３は、Ｐｘ未満の送信電力を用いてコンピュータ５に無線ダウンリンク信号を送信する。確かに、アクセス・デバイス３は、フェムトセル２内でコンピュータ５と同一の時間周波数リソースを使用するユーザ端末があるかどうかを知らないので、したがって、アクセス・デバイス３が、より低い初期送信電力を使用するためにそれ自体に強いる形が、保守的であることがわかる。逆に、送信電力Ｐｘを用いて送信された第１無線信号がアクセス・デバイス３に到着する時に、信号レベルが、比較的低いレベルまたは無視できるレベルまで減衰している場合には、アクセス・デバイス３は、アクセス・デバイス３が送信電力Ｐｘを用いてダウンリンク信号を送信する時に、それぞれフェムトセル１、２内に同一の時間周波数リソースを占有するユーザ端末がある場合であっても、フェムトセル２に対してかなりのレベルを有する干渉を引き起こさないと、おおまかに判定することができる。したがって、コンピュータ５がアクセスを要求した後に、アクセス・デバイス３がコンピュータ５に無線ダウンリンク信号を送信する送信電力を、Ｐｘと等しいかＰｘよりわずかに大きいものとすることができる。
【００３０】
ステップＳ２４およびステップＳ２５は、２つのアクセス・デバイスがそれぞれそれらによって管理されるユーザ端末にアクセスを提供する場合に、より傾いている。同様に、ステップＳ２４およびＳ２５は、周期的に送信される第１無線信号のレベルの測定にも基づく。具体的には、ステップＳ２４で、アクセス・デバイス３は、第１無線信号のレベルが第１の事前に決定されたしきい値を超え、フェムトセル内の少なくとも１つのユーザ端末に干渉するかどうかを判断する。この判断を実施する複数の形があり、それらを下でそれぞれ紹介する。
【００３１】
２４．１）理論上、干渉は、フェムトセルの間での時間周波数リソース・ブロックなどの送信リソースの再利用という仮定の下で作られる。したがって、アクセス・デバイス３は、第１無線信号のレベルを考慮するだけではなく、第１無線信号がフェムトセル１内の少なくとも１つのユーザ端末に対して干渉を実際に引き起こすかどうかを判断もする。この場合に、第１無線信号は、通常、アクセス・デバイス４からフェムトセル２内のモバイル６などのあるユーザ端末へ送信されたダウンリンク信号であるが、その中にアクセス・デバイス４の特性情報を担持する。その結果、第１無線信号のレベルが、第１の事前に決定されたしきい値を超え、第１無線信号が向けられるモバイル６が、アクセス・デバイス３によってサービスされる少なくとも１つのユーザ・デバイス、たとえばコンピュータ５と同一の時間周波数リソースを実際に使用する場合に、したがって、第１無線信号は、考慮されなければならない干渉信号である。
【００３２】
確かに、フェムトセルの間の上記の干渉は、アクセス・デバイス３、４がそれぞれそれらによって管理されるコンピュータ５およびモバイル６にダウンリンク信号を同時に送信する時に作られる。したがって、アクセス・デバイス３には、コンピュータ５にダウンリンク信号を送信している間に上で述べた第１無線信号を受信するために、２組のアンテナを備えることができる。
【００３３】
２４．２）ステップＳ２４の簡単な実施の形として、アクセス・デバイス３は、第１無線信号のレベルだけを考慮し、第１無線信号のレベルと第１の事前に決定されたしきい値との間の関係に従ってステップＳ２４の判断結果を入手する。
【００３４】
ステップＳ２４の判断結果が否定である場合には、この方法は、ステップＳ２１の前に戻って進む、すなわち、次の第１無線信号の受信を待ち、この説明は繰り返さない。
【００３５】
逆に、ステップＳ２４の判断結果が肯定である場合には、この方法は、ステップＳ２５に進み、ステップＳ２５は、本明細書で後で詳細に説明する。
【００３６】
フェムトセル２がフェムトセル１に強い干渉を適用しつつあるという問題に鑑みて、ステップＳ２５を、下記のように本発明の異なる実施形態に従って異なる形で実現することができる。
【００３７】
実施形態１  アクセス・デバイス４が、コンピュータ５への干渉を減らすのにビームフォーミング方式を使用する。
実施形態１によれば、アクセス・デバイス４は、複数の送信アンテナを備えることを要求され、信号品質を高めるためおよびコンピュータ５への干渉を減らすために、モバイル６を指す方向にエネルギを集中するためにこれらのアンテナによって指向性を有するビームを生成する。ビームフォーミングの性格づけを考慮すると、ビームフォーミング技法は、コンピュータ５およびモバイル６がアクセス・デバイス４に関しておおむね同一方向に位置する時に、最良の選択ではない。ビームフォーミングを行うためにアクセス・デバイス４によって要求されるチャネル状況情報などの情報を、バックホールを介して以前に確立されたＩＰ接続を介してアクセス・デバイス３によって提供することができる。この２つの間のＩＰ接続が以前に確立されていない場合には、アクセス・デバイス３は、第１無線信号内のアクセス・デバイス４の特性情報に従って、そのような接続を最終的に確立することができる。アクセス・デバイスの間でより多くの情報相互作用を行うためにバックホールを使用することの利益、アクセス・デバイスの間の相互作用が無線の形で行われることが除外されないことを理解されたい。
【００３８】
実施形態２  アクセス・デバイス３、４が、複数基地局（複数ＢＳ）プリコーディングによってコンピュータ５およびモバイル６に関するダウンリンク送信を実行する。
実施形態２によれば、アクセス・デバイス３、４は、合同プリコーディングを実行し、アクセス・デバイス３は、チャネル３５、４５、３６、４６の状況情報を収集し、プリコーディング行列を生成し、対応するベクトル（１つまたは複数）をアクセス・デバイス４に提供する。そのような複数ＢＳプリコーディング技法は、アクセス・デバイス３、４がそれぞれコンピュータ５およびモバイル６に同時にサービスすることを可能にすることができ、あるいは、たとえばプリコーディングによってコンピュータ５の方向でヌルを生成することによって、コンピュータ５への干渉を減らしながら、アクセス・デバイス３がコンピュータ５にサービスし、アクセス・デバイス４がコンピュータ６にサービスすることを可能にすることができる。
【００３９】
実施形態３  アクセス・デバイス３が、コンピュータ５がアクセス・デバイス４からの干渉を回避するように、コンピュータ５を再スケジューリングする。
実施形態３によれば、アクセス・デバイス３が割り当てることのできる複数のダウンリンク・リソース・ブロックがある。たとえば、コンピュータ５は、そもそもは時間周波数リソース・ブロックＴ１Ｆ１上でスケジューリングされ、現在、このリソース・ブロックが隣接するフェムトセル内で使用され、信号レベルが比較的強いので、コンピュータ５およびモバイル６を時間領域および周波数領域のうちの少なくとも１つで分離するためにコンピュータ５をＴ２Ｆ１、Ｔ２Ｆ１、またはＴ２Ｆ２などでスケジューリングすることによって、干渉が回避される。この方式は、より多くのリソース利用を犠牲にして干渉を減らす。
【００４０】
実施形態４  アクセス・デバイス４が、コンピュータ５ヘの干渉を引き起こすのを回避するためにモバイル６を再スケジューリングする。
実施形態４は、実施形態３と同一の概念を共有するが、ここでは、アクセス・デバイス４が、たとえばＴ１Ｆ１からＴ２Ｆ１へユーザ端末を再スケジューリングする。実際には、異なるアクセス・デバイスまたは異なるフェムトセルが、異なる優先順位を有する場合がある。ステップＳ２５が実行される必要がある場合には、そのような再スケジューリングは、必ず、より低い優先順位を有するアクセス・デバイスによって実行される。一般性を失わずに、最大量の割当可能なリソースを有するアクセス・デバイスに、相対的に低い優先順位を割り当てることができる。たとえば、あるアクセス・デバイスが２００Ｍの割当可能なダウンリンク帯域幅を有し、別のアクセス・デバイスが、１０Ｍだけを有し、好ましくは、前者が、再スケジューリングを実行するために選択される。
【００４１】
代替案では、割り当てるためのより多くの残りリソースを有するアクセス・デバイスに、相対的に低い優先順位を割り当てることができる。
【００４２】
実施形態５  アクセス・デバイス４が、コンピュータ５への干渉を減らすために、モバイル６にダウンリンク信号を送信する時に送信電力を減らす。
オプションで、アクセス・デバイス３が、第１無線信号のレベルが第１の事前に決定されたしきい値を超えると判断した後に、アクセス・デバイス３は、ＩＰリンク内でこの情報についてアクセス・デバイス４に知らせることができ、それに応じて、アクセス・デバイス４は、コンピュータ５への干渉を回避するために、第１無線信号に対応するＴ１Ｆ１などの時間周波数リソース・ブロック上の電力割当を減らす。
【００４３】
実際には、アクセス・デバイス４がモバイル６にダウンリンク信号を送信する時に送信電力を減らした後に、リンク４６のＱｏＳが、素早く劣化し、ハイブリッド自動再送要求（ＨＡＲＱ）技法がアクセス・デバイス４のエア・インターフェースで使用される場合に、モバイル６が、ダウンリンク・データを再送信するようにアクセス・デバイス４に頻繁に要求することが発生する。システム全体を考慮すると、これは、フェムトセル１が干渉されないこと保証するが、そのコストは、モバイル６のトラフィックへの影響である。この理由から、リンク４６のＱｏＳの上で述べた状況を知った後に、アクセス・デバイス４は、もう一度アクセス・デバイス３と相互作用し、それらの間の協力の形をたとえば実施形態１〜３のいずれかの形へ変更する。確かに、アクセス・デバイス４が、実施形態４の形に変更される場合には、アクセス・デバイス４は、アクセス・デバイス３と相互作用せずに再スケジューリングを実行する。
【００４４】
図２のステップＳ２７は、アクセス・デバイス３によって送信された第２無線信号が、アクセス・デバイス４などの他のデバイスによって、おそらくは干渉を引き起こすものとして判定された後の後続ステップである。ここでは、アクセス・デバイス３は、すべての上記実施形態においてアクセス・デバイス４と同一の役割を演じ、アクセス・デバイス４は、すべての上記実施形態においてアクセス・デバイス３と同一の役割を演じ、この説明は繰り返さない。
【００４５】
既存のフェムトセル技法では、アクセス・デバイスは、アドミッション・モードとしてＣＳＧ（closed subscriber group）を幅広く使用する。本発明とＣＳＧとの組合せを、特定の例を参照して以下で説明する。
【００４６】
上で論じた例には２つの隣接するフェムトセルだけがあるが、当業者は、創作的努力を伴わずに、本願の内容を読むことによって複数の隣接するフェムトセルがある事例に本発明を適用することができる。さらに、複数の隣接するフェムトセルの事例も、本発明によって包含される。
【００４７】
次に、本発明の実施形態を、図３を参照し、図１を組み合わせることによって、システムに鑑みて説明し、ここで、アクセス・デバイス４の役割は、第１アクセス・デバイスと同等であり、アクセス・デバイス３は、アクセス・デバイス４に関して第２アクセス・デバイスである。
【００４８】
ステップＳ３０１  アクセス・デバイス４が、オンに切り替えられ、パワーオンの後に初めてアクセス・デバイス３から第１無線信号を受信し、したがって、隣接するアクセス・デバイス３の存在を検出する、すなわち、バックホールを介するアクセス・デバイス３とのＩＰ接続を確立する。
【００４９】
ステップＳ３０２  モバイル６が、ダウンリンク・データを受信するためにアクセス・デバイス４へのアクセスを要求する。
【００５０】
ステップＳ３０３  アクセス・デバイス４が、モバイル６が事前に格納されたＣＳＧリストに含まれるかどうかを判断する。
【００５１】
ステップＳ３０４  モバイル６がアクセス・デバイス４の事前に格納されたＣＳＧリストに含まれる場合には、アクセス・デバイス４は、このアクセス要求を受け入れる。
【００５２】
ステップＳ３０５  その後、アクセス・デバイス４は、それでも、アクセス・デバイス３によって送信された第１無線信号のレベルを監視し、これを第１の事前に決定されたしきい値と比較する。
【００５３】
ステップＳ３０６  第１無線信号のレベルが第１の事前に決定されたしきい値を超える場合には、アクセス・デバイス４がアクセス・デバイス３との共同作業モードを作成することが必要である。したがって、アクセス・デバイス４は、まず、アクセス・デバイス３からのボンド（ｂｏｎｄ）を要求する。アクセス・デバイス４からボンディング要求（ｂｏｎｄｉｎｇ  ｒｅｑｕｅｓｔ）を受信した後に、アクセス・デバイス３は、フェムトセル１のダウンリンク送信がフェムトセル２に影響したと判定し、その後、このボンディング要求を受け入れる。
【００５４】
ステップＳ３０７〜Ｓ３０８  ＣＳＧの認可要件を満足するために、アクセス・デバイス３、４は、モバイル６およびコンピュータ５のＣＳＧ情報を交換する。
【００５５】
ステップＳ３０９  アクセス・デバイス４は、コンピュータ５の受信した情報をローカルＣＳＧリストに追加し、その結果、コンピュータ５は、アクセス・デバイス４にアクセスすることを一時的に許可され得るユーザ端末の１つになる。
【００５６】
ステップＳ３１０  アクセス・デバイス３は、モバイル６の受信した情報をローカルＣＳＧリストに追加し、その結果、モバイル６は、アクセス・デバイス３にアクセスすることを一時的に許可され得るユーザ端末の１つになる。
【００５７】
ステップＳ３１１〜Ｓ３１２  その後、コンピュータ５は、アクセス・デバイス４へのアクセス要求を開始し、モバイル６は、アクセス・デバイス３へのアクセス要求を開始する。
【００５８】
ステップＳ３１３〜Ｓ３１４  更新されたＣＳＧリストに基づいて、アクセス・デバイス３、４は、それぞれモバイル６およびコンピュータ５からのアクセスからのアクセス要求を受け入れる。
【００５９】
ステップＳ３１５〜Ｓ３１６  その後、アクセス・デバイス３、４は、複数ＢＳプリコーディング技法などの現在存在するか将来に開発される、基地局などの複数のネットワーク・デバイスによって複数のユーザ・デバイスにサービスするためのさまざまな方式に基づいて、モバイル６およびコンピュータ５へのダウンリンク送信を処理することができ、これによって、フェムトセル１と２との間の相互干渉の問題を解決する。
【００６０】
本発明によって提供される方法のすべての実施形態を紹介した後に、本発明によって提供される第１装置を、次のように方法の実施形態に関する上の説明を参照して短く説明する。
【００６１】
以下を含む、第１フェムトセルの第１アクセス・デバイス内でフェムトセルの間の干渉を減らす第１装置４１のブロック図を示す図４を参照されたい。
【００６２】
第２フェムトセルの第２アクセス・デバイスによって周期的に送信される第１無線信号を受信する受信器４１１であって、前記第１無線信号は、前記第２アクセス・デバイスの特性情報を含む、受信器４１１。これは、上のステップＳ２１に対応する。
【００６３】
前記第１無線信号のレベルが第１の事前に決定されたしきい値を超え、前記第１フェムトセルの少なくとも１つのユーザ端末に干渉するかどうかを判断する第１ユニット４１２。これは、上のステップＳ２４に対応する。
【００６４】
前記第１無線信号のレベルが前記事前に決定されたしきい値を超え、前記第１フェムトセルの前記少なくとも１つのユーザ端末に干渉する場合に、前記第１フェムトセルと前記第２フェムトセルとの間の干渉を減らすために、前記第２アクセス・デバイスと相互作用することによって、前記第１アクセス・デバイスと前記第２アクセス・デバイスとの間で共同作業モードを作成する第２ユニット４１３。これは、上のステップＳ２５に対応する。
【００６５】
さらに、第１装置４１は、前記第１無線信号内の第２アクセス・デバイスの特性情報に従ってバックホールを介して前記第１アクセス・デバイスと前記第２アクセス・デバイスとの間の接続を確立する第３ユニット４１４をも含む。これは、上のステップＳ２２に対応する。
【００６６】
前記第２ユニット４１３は、前記第１無線信号のレベルが前記事前に決定されたしきい値を超え、前記第１フェムトセルの前記少なくとも１つのユーザ端末に干渉する場合に、前記第１フェムトセルと前記第２フェムトセルとの間の干渉を減らすために、前記第２アクセス・デバイスと相互作用することによって、前記第１アクセス・デバイスと前記第２アクセス・デバイスとの間で共同作業モードを作成するのにさらに使用される。これは、上のステップＳ２５に対応する。
【００６７】
さらに、上で述べた共同作業モードは、前記第２デバイスは、前記少なくとも１つのユーザ端末への干渉を減らすためにビームフォーミング方式を使用し、前記第１アクセス・デバイス、前記第２アクセス・デバイス、前記少なくとも１つのユーザ端末、および前記少なくとも１つのユーザ端末と同一の送信リソースを占有する前記第２フェムトセルの他のユーザ端末は、複数ＢＳ  ＭＩＭＯ（Ｍｕｌｔｉ−ｉｎｐｕｔ  Ｍｕｌｔｉ−ｏｕｔｐｕｔ）を使用してダウンリンク送信を実行し、前記第１アクセス・デバイスは、前記第２アクセス・デバイスからの干渉を回避するために前記少なくとも１つのユーザ端末を再スケジューリングし、前記第２アクセス・デバイスは、前記少なくとも１つのユーザ端末に干渉するのを回避するために前記他のユーザ端末を再スケジューリングし、前記第２アクセス・デバイスは、前記少なくとも１つのユーザ端末への干渉を減らすために前記他のユーザ端末に信号を送信する時に送信電力を減らすのうちの少なくとも１つを含む。
【００６８】
さらに、第１アクセス・デバイスは、そのエア・インターフェースでアクセスを制御するのにｃｌｏｓｅｄ  ｓｕｂｓｃｒｉｂｅ  ｇｒｏｕｐを使用する。第２ユニット４１３は、例として図１のアクセス・デバイス３をとる時に上のステップＳ３０７に対応する、前記第２フェムトセル内の各ユーザ端末の特性情報を入手する第１要素４１３１と、上のステップＳ３１０に対応する、前記第２フェムトセルの各ユーザ端末の前記特性情報を前記第１アクセス・デバイスによって制御されるｃｌｏｓｅｄ  ｓｕｂｓｃｒｉｂｅ  ｇｒｏｕｐに追加する第２要素４１３２とを含む。
【００６９】
さらに、第２アクセス・デバイスは、そのエア・インターフェースでアクセスを制御するのにｃｌｏｓｅｄ  ｓｕｂｓｃｒｉｂｅ  ｇｒｏｕｐを使用する。第２ユニット４１３は、前記第２アクセス・デバイスがそれに従って前記第２アクセス・デバイスによって使用されるｃｌｏｓｅｄ  ｓｕｂｓｃｒｉｂｅ  ｇｒｏｕｐを更新するようにするために、前記第１フェムトセル内の各ユーザ端末の特性情報を第２アクセス・デバイスに送信する第１送信器４１３３を含み、これは、例として図１のアクセス・デバイス３をとる時に上のステップＳ３０８に対応する。
【００７０】
さらに、第１装置４１は、前記第１アクセス・デバイスの特性情報を含む第２無線信号を周期的に送信する第２送信器４１５をさらに含み、これは、上のステップＳ２６に対応する。
【００７１】
さらに、第１装置４１は、前記第１フェムトセルと前記第２フェムトセルとの間の干渉を減らすために、前記第２アクセス・デバイスによって開始された相互作用に基づいて、前記第１アクセス・デバイスと前記第２アクセス・デバイスとの間の共同作業モードを作成する第４ユニット４１６をさらに含み、これは、上のステップＳ２７に対応する。
【００７２】
当業者にとって、本発明が上の例示的実施形態の詳細に限定されず、本発明の趣旨または基本的特徴から逸脱せずに、本発明を他の特定の形で実現できることは、明白である。したがって、すべての態様において、実施形態は、例示的であって非限定的と考えられなければならない。本発明の範囲は、上の説明ではなく添付の特許請求の範囲によって定義され、本発明は、同等性の原理の下で特許請求の範囲の意味および範囲に公正に含まれるすべての変更を包含することが意図されている。請求項のすべての符号を、関係する請求項を限定するものと考えてはならない。さらに、用語「含む」が他のユニットを除外せず、単数形が複数を除外しないことは明白である。「第１」、「第２」などの用語は、特定の順序ではなく名前を表すのに使用される。
【図１】
2013524565.tif 000003
【図２】
2013524565.tif 000004
【図３】
2013524565.tif 000005
【図４】
2013524565.tif 000006
【国際調査報告】
2013524565.tif 000007
2013524565.tif 000008
2013524565.tif 000009